(57)【要約】【課題】傾斜して配置される熱交換器の傾斜下面から滴下するドレン水を確実に受け、熱交換器に対する通風抵抗と風量損失を低減して、熱交換器の熱交換効率の向上に繋げられるドレンガイドを備えた空気調和機の室内機を提供する。【解決手段】天井裏に取付けられる室内機本体１内に、斜めに傾斜配置する熱交換器７、ドレンパン８、熱交換空気の流通を可能としながら熱交換器の傾斜下面から滴下するドレン水を受けるドレンガイド９、送風機６等を収容し、ドレンガイドは上下方向に所定間隔を存して対向して設けた複数の横樋１５と、これら横樋の側端部に接続され横樋から流れるドレン水を受けてドレンパンに導く縦樋１８とからなり、縦樋は少なくとも２本以上備えられ、各横樋は各縦樋の両側に縦樋に対して所定角度傾斜して設けられ、ドレンガイドとして略Ｗ字状もしくは略波型状に形成される。【選択図】    図３
2004177048.tif 000002
【特許請求の範囲】
【請求項１】
斜めに傾斜配置する熱交換器、この熱交換器の下部に配置されるドレンパン、熱交換器の熱交換空気導入側に熱交換器と対向して配置され熱交換空気の流通を可能としながら熱交換器の傾斜下面から滴下するドレン水を受けるドレンガイド、および送風機等を収容し、被空調室の天井裏に取付けられる室内機本体と、
吸込み口および吹出し口を備え、上記室内機本体の下面部に取付けられて室内に露出する化粧パネルとを具備した空気調和機の室内機において、
上記ドレンガイドは、上下方向に所定間隔を存して並行に設けられる複数の横樋と、これら横樋の側端部に接続され横樋から流れるドレン水を受けて上記ドレンパンに導く縦樋とからなり、
上記縦樋は少なくとも２本以上備えられ、各横樋は各縦樋の両側に、かつ縦樋に対して所定角度傾斜して設けられ、ドレンガイドとして略Ｗ字状もしくは略波型状に形成されることを特徴とする空気調和機の室内機。
【請求項２】
上記縦樋は、上記ドレンガイドの側端部よりも内側に設けられることを特徴とする請求項１記載の空気調和機の室内機。
【請求項３】
上記横樋は、熱交換器から滴下するドレン水を受ける平面部と、平面部で受けたドレン水を傾斜方向に流下案内するＶ字部と、上部側の横樋から下部側の横樋へドレン水を滴下案内するＬ字部とを備え、
上記Ｌ字部は、少なくとも４ｍｍもしくはそれ以上長く形成されることを特徴とする請求項１および請求項２のいずれかに記載の空気調和機の室内機。
【発明の詳細な説明】
【０００１】
【発明の属する技術分野】
本発明は、いわゆる天井埋込み型の空気調和機の室内機に係り、特に、斜めに傾斜して配置される熱交換器に対し熱交換空気の流通を許容するとともに、傾斜下面から滴下するドレン水を受けるドレンガイド構造の改良に関する。
【０００２】
【従来の技術】
空気調和機の室内機として、店舗などの広い空間を空調する場合には、壁面に取付けられる、いわゆる壁掛け形よりも、天井面から極めて広い範囲に亘って均一に熱交換空気を吹出すことができ、かつ居住者が受ける圧迫感の少ない天井埋込み型とした室内機が多用される傾向にある。
【０００３】
一般的な家屋では、天井埋込み型の室内機を取付けるべき天井裏の高さが低いので、室内機として高さ寸法を低く抑えるため、熱交換器は斜めに傾斜した状態で本体内に収容される。
【０００４】
一方、熱交換器の熱交換作用にともなって生成するドレン水は、熱交換器の下端部から滴下するばかりでなく、下端部に到達する以前に傾斜した下面からも滴下してしまう。
【０００５】
そのため、熱交換器の下端部に、下端部から滴下するドレン水を受けるためのドレンパンを備えるとともに、熱交換器の傾斜下面側に、傾斜下面から滴下するドレン水を受けるためのドレンガイドを備えている。
【０００６】
このドレンガイドは、熱交換器に対して熱交換空気を導く流路の中途部に配置されることになるので、［特許公報１］や［特許公報２］に開示されるように、熱交換空気の流通に支障のないよう開口部分が確保されている。
【０００７】
【特許公報１】
特公平７−１０９６号（請求項１、第４図〜第１０図参照）
【０００８】
【特許公報２】
特公平７−５６３９４号（請求項１、第４図〜第７図参照）
ここで用いられるドレンガイドは、上下方向に所定間隔を存してかつ順次斜めに位置をずらして設けられる横樋（水受け樋）と、これら横樋の両端部に連結される縦樋（案内樋）から構成される。
【０００９】
【発明が解決しようとする課題】
ところで、先行技術（特許公報１、特許公報２）に用いられる上記ドレンガイドは、流通する熱交換空気の風量損失を抑えるために横樋の立上がり寸法を可能な限り低くして対処しているが、その反面、熱交換器の傾斜下面から滴下するドレン水を全て受けきれないでいる。
【００１０】
そこで、完全にドレン水を受けるべく横樋の高さ寸法を上げたり、低くしたまま横樋の本数を多くすると、今度は熱交換空気の流通に対する通風抵抗が大になって風量損失を招き、熱交換効率の低下をきたしてしまう。
【００１１】
本発明は上記事情に着目してなされたものであり、その目的とするところは、天井埋込み型であることを前提として、傾斜して配置される熱交換器の傾斜下面から滴下するドレン水を確実に受けるとともに、熱交換器に対する通風抵抗と風量損失を低減して、熱交換器の熱交換効率の向上に繋げられるドレンガイドを備えた空気調和機の室内機を提供しようとするものである。
【００１２】
【課題を解決するための手段】
上記課題を解決し目的を達成するために本発明の空気調和機の室内機は、被空調室の天井裏に取付けられる室内機本体内に、斜めに傾斜配置する熱交換器、この熱交換器の下部に配置するドレンパン、熱交換器の熱交換空気導入側に熱交換器と対向して配置し熱交換空気の流通を可能としながら上記熱交換器の傾斜下面から滴下するドレン水を受けるドレンガイド、および送風機等を収容し、室内機本体の下面部に取付けられ室内に露出する化粧パネルに吸込み口および吹出し口を備え、ドレンガイドは上下方向に所定間隔を存して並行に設けられる複数の横樋と、これら横樋の側端部に接続され横樋から流れるドレン水を受けてドレンパンに導く縦樋とからなり、縦樋は少なくとも２本以上備えられ、各横樋は各縦樋の両側に縦樋に対して所定角度傾斜して設けられ、ドレンガイドとして略Ｗ字状もしくは略波型状に形成される。
【００１３】
このような課題を解決する手段を採用することにより、天井埋込み型であることを前提として、傾斜して配置される熱交換器の傾斜下面から滴下するドレン水をドレンガイドが確実に受け、熱交換器に対する通風抵抗と風量損失を低減して、熱交換器の熱交換効率の向上に繋げられる。
【００１４】
【発明の実施の形態】
以下、本発明の実施の形態を図面にもとづいて説明する。
図１は本発明の一実施の形態に係る天井埋込み型の空気調和機の室内機外観を下面側から示す斜視図、図２は室内機本体１を見上げた状態の斜視図、図３は室内機本体１の内部構造を示す断面図である。
【００１５】
空気調和機の室内機としては、被空調室の天井板に設けられる開口部に挿入され、吊りボルト等を介して天井裏（いずれも図示しない）に吊持固定される室内機本体１を備えている。
【００１６】
上記室内機本体１の下面部に化粧パネル２が取付けられていて、これらで室内機が構成される。上記化粧パネル２は室内に露出して取付用開口部と室内機本体１側面部との間隙を遮蔽している。
【００１７】
室内機本体１は、その長手方向が、長手方向と直交する方向である幅方向に対して極端に長い矩形箱状に成型され、下面のみ開口し他の周面の全てが板面をなす筐体である。
【００１８】
この筐体は金属薄板を板金加工したものであって、内面にはたとえば発泡スチロール材などの合成樹脂材からなる断熱材が組み込まれ、室内機本体１として断熱構造をなしている。
【００１９】
室内機本体１の長手方向両側面部１ａにはそれぞれ一対ずつの吊り金具３が設けられ、天井裏から吊持される吊りボルト（図示しない）に取付けられる。室内機本体１の一方側（図の右側）の側面部１ａで、吊り金具３の近傍部位に２本の冷媒接続管４と１本のケーブル用パイプ５端部が突出している。
【００２０】
室内機本体１内の上記冷媒接続部４に冷媒管が接続され、室内熱交換器７に連通する。また、これら配管接続部４には室外機から延出する冷媒渡り管が接続される。上記ケーブル用パイプ５には室内機と室外機および電源部と電気的に接続する渡りケーブルが挿通する。
【００２１】
室内機本体１の下面開口部１ｂは上記化粧パネル２によって閉成されている。この化粧パネル２は室内に露出し、室内機本体１側面部と天井板に設けられる取付け用開口部との隙間を遮蔽する。
【００２２】
上記室内機本体１の幅方向一側部に送風機６が配置され、この送風機６の熱交換空気吸込み側と対向して室内熱交換器７が配置される。上記室内熱交換器７は室内機本体１の下端部から上端部に亘って斜めに傾斜して配置される。
【００２３】
上記室内熱交換器７の上端面は室内機本体１上面部に略密着状態にあり、下端部はドレンパン８に嵌め込まれる。室内熱交換器７の上記送風機６とは反対側に、後述するドレンガイド９が室内熱交換器７と並行して対向するよう同一角度に傾斜して配置される。
【００２４】
室内機本体１の下面開口部１ｂは、幅方向の略中央部に、長手方向に亘って設けられる上記ドレンパン８によって仕切られ、この左右両側に開口部１０ａ，１０ｂがある。
【００２５】
上記ドレンガイド７と対向する開口部を吸込み部１０ａと呼び、上記送風機６と対向する開口部を吹出し部１０ｂと呼ぶ。上記吸込み部１０ａと対向する化粧パネル２部位には吸込み口１１が開口され、吸込グリル１２が着脱自在に取付けられる。
【００２６】
上記吸込み口１１は幅方向と比較して長手方向が極端に長い矩形状をなし、吸込みグリル１２は吸込み口１１における室内空気の流通を可能としながら、吸込み口１１から室内機本体１内部に対する遮蔽をなしている。
【００２７】
上記吹出し部１０ｂと対向する化粧パネル２部位には吹出し口１３が開口され、ルーバー駆動機構に連結されたルーバー１４が取付けられる。この吹出し口１３も幅方向と比較して長手方向が極端に長い矩形状をなし、上記ルーバー１４は室内の広い範囲に亘って均一に熱交換空気を吹出し案内できる。
【００２８】
このように構成された天井埋込型の空気調和機の室内機において、送風機６が駆動されると室内空気が吸込みグリル１２と吸込み口１１を介して室内機本体１内に吸引される。
【００２９】
熱交換空気はドレンガイド９を通過して室内熱交換器７に導かれ、ここで熱交換がなされたあと送風機６を介して吹出口１３から室内へ吹出される。このようにして室内空気が循環され室内の空気調和運転がなされる。
【００３０】
一方、上記室内熱交換器７の熱交換作用にともなってドレン水が生成され、時間の経過にともなって肥大化し、ついには流下する。室内熱交換器７の下端部から滴下するドレン水は、ドレンパン８に受けられる。下端部に到達する以前に傾斜下面から滴下するドレン水は、ドレンガイド９に受けられる。
【００３１】
ドレンガイド９が受けたドレン水はドレンパン８に案内され、ここで受けたドレン水と合流してから室外へ排水される。上記ドレンガイド９は室内空気の流通を阻害せず、しかも室内熱交換器７から滴下するドレン水を水漏れすることがなく確実に受ける。
【００３２】
つぎに、上記ドレンガイド９の室内熱交換器７に対する配置構成と、ドレンガイド９自体の構造について、図４〜図６にもとづいて詳述する。
図４は吸込み部１０ａ側からドレンガイド９と室内熱交換器７を水平方向に見た図、図５はドレンガイド９と室内熱交換器７の一部を拡大した断面図、図６（Ａ）はドレンガイド９を吸込み部側から見た斜視図、図６（Ｂ）はドレンガイド９を室内熱交換器側から見た斜視図である。
【００３３】
上記ドレンガイド９は、上下方向に所定間隔を存して並行に設けられる複数の横樋１５と、垂直方向に設けられ、ドレンガイド９の幅方向両側端の端板１６と、略中央部の中央分離板１７および、各端板１６と中央分離板１７との間の中間部の縦樋１８とから構成される。
【００３４】
上記吸込み口１２から吸込まれた室内空気は、ドレンガイド９を構成する横樋１５と、両端板１６と、中央分離板１７および縦樋１８との間の空間部を流通するようになっている。
【００３５】
上記横樋１５の一方の側端部は、端板１６と中央分離板１７とに接続されることによって閉成され、他方の側端部である縦樋１８との接続部が互いに連通している。換言すれば、それぞれの縦樋１８の左右両側に横樋１５が配置される。
【００３６】
図４に示すようにドレンガイド９を水平方向から見た状態で、各横樋１５は１．５°以上の角度をもって傾斜し、これらの傾斜下端部に上記縦樋１８が接続されることになる。
【００３７】
ドレンガイド９は緩やかに傾斜する略Ｗ字状に形成され、両側端に端板１６があるところから、両方の縦樋１８はドレンガイド９の幅方向の側端部よりも内側に位置して設けられる。
【００３８】
上記ドレンガイド９を室内熱交換器７の傾斜と並行に取付けた状態で、上下の横樋１５は上下方向に互いの一部がラップするよう設けられ、階段状になって位置がずれている。
【００３９】
これら横樋１５のうちの最下部の横樋１５と、熱交換器７を構成する熱交換パイプＰうちの最もドレンガイド９寄りの熱交換パイプＰの位置が互いにラップしている。
【００４０】
特に図５に拡大して示すように、上記横樋１５は、室内熱交換器７からドレンガイド９を介して滴下するドレン水を受ける平面部ａと、この平面部ａで受けたドレン水を傾斜に沿って案内するＶ字部ｂと、上部側の横樋１５から滴下するドレン水を下部側の横樋１５で受けるＬ字部ｃが一体に連設されてなる。
【００４１】
通風抵抗を低減するため、上記Ｖ字部ｂの先端は斜めにカットされ、上記平面部ａは熱交換空気の流通方向に沿って並行して設けられる。上記Ｌ字部ｃは先端についた水滴がＶ字部ｂに廻ることなく下部の横樋１５に落下するよう、下部の横樋１５と上下方向にラップしている。
【００４２】
さらに、上記Ｌ字部ｃの先端縁は水切りが確実になされるように下向きにカットされていて、この長さ寸法は少なくとも４ｍｍ、好ましくはそれ以上を確保されている。
【００４３】
このようなドレンガイド９を備えることにより、斜めに傾斜した室内熱交換器７の傾斜下面から滴下するドレン水は各横樋１５によって受けられる。ここでは、各横樋１５が上下方向に位置をずらせて、かつ上下の横樋１５は互いに一部がラップして設けられているから、全てのドレン水を確実に受ける。
【００４４】
上記横樋１５を縦樋１８に対して１．５°に傾けたので、ここで受けたドレン水を円滑に、かつ確実に傾斜下端側の縦軸１８に導くことができる。上記傾斜角度の設定により、ドレン水が横樋１５内に溜まりオーバーフローしてしまうことを防止でき、排水性の向上を得られる。
【００４５】
また、ドレンガイド９において、室内熱交換器７の傾斜下面から滴下するドレン水を直接受けるのは横樋１５であるので、これら横樋１５の側端部を室内熱交換器７の側端部と対向するように配置しなければならず、本発明ではそのように構成されている。
【００４６】
２本の縦樋１８はドレンガイド９の側端部よりも内側に位置していて、ドレンガイド９の幅寸法を室内熱交換器７の幅寸法と略同一で、ドレンパン８の幅寸法と同一に設定できる。
【００４７】
横樋１５単体の長さ寸法が短く形成され、横樋１５の傾斜角度がさらに大きくなっても、最下部の横樋１５はドレンパン８の縁に重なってドレン水の確実な排水処理をなす。
【００４８】
仮に、ドレンガイド９の両側端部に縦樋１８を位置する構成とすると、横樋１５の側端部を室内熱交換器７の側端部と対向しなければならないから、縦樋１８は横樋１５の側端部のさらに外方に設ける。
【００４９】
両側部の縦樋１８が室内熱交換器７側端部から突出した位置に設けられることになり、これに合わせてドレンパン８の幅寸法も上述のものよりも拡大しなければならず、室内機のコンパクト化を阻害してしまう。
【００５０】
また、上記横樋１５を構成するＬ字部ｃは、先端縁を下向きにカットしたので水切りを確実になし、かつ横樋１５の熱交換器７側の端に落下した水滴もスムースに下部側の横樋１５に落下させられる。
【００５１】
上記Ｌ字部ｃの長さ寸法を４ｍｍ以上とすることにより、Ｌ字部ｃを伝わった水滴が横樋１５の裏側（下面側）に回り込むのを確実に防止でき、横樋１５におけるドレン水の排水処理は万全なものとなる。
【００５２】
なお、上述の実施の形態ではドレンガイド９を略Ｗ字状に形成し、横樋１５の傾斜下端部に縦樋１８を設けるようにしたが、これに限定されるものではなく、室内熱交換器７の幅寸法がさらに広い場合はドレンパン８の幅寸法も広くなるので、全体的に略波型状のドレンガイドとしてもよい。
【００５３】
この場合においても、縦樋１８はドレンパン８の側端部よりも内側にあり、横樋１５の側端部がドレンパン８の側端部と対向するように構成する。したがって、ドレンガイドの幅寸法を室内熱交換器７およびドレンパン８と略同一として、コンパクト化を図れる。
【００５４】
さらに、本発明は上述の実施の形態に限定されるものではなく、本発明の要旨を逸脱しない範囲で種々変形実施可能であるのは勿論である。
【００５５】
【発明の効果】
以上説明したように本発明によれば、天井埋込み型であることを前提として、傾斜して配置される熱交換器の傾斜下面から滴下するドレン水をドレンガイドが確実に受け、熱交換器に対する通風抵抗と風量損失を低減し、熱交換器の熱交換効率の向上に繋げられるなどの効果を奏する。
【図面の簡単な説明】
【図１】本発明の一実施の形態に係る天井埋込み型の空気調和機の室内機を下面側から示す斜視図。
【図２】同実施の形態に係る、室内機本体の斜視図。
【図３】同実施の形態に係る、室内機本体の断面図。
【図４】同実施の形態に係る、ドレンガイドと室内熱交換器の水平方向から見た図。
【図５】同実施の形態に係る、ドレンガイドと室内熱交換器の一部を拡大した断面図。
【図６】同実施の形態に係る、ドレンガイドの表面側から見た斜視図と、裏面側から見た斜視図。
【符号の説明】
７…室内熱交換器、
８…ドレンパン、
９…ドレンガイド、
６…送風機、
１…室内機本体、
２…化粧パネル、
１５…横樋、
１８…縦樋、
ａ…平面部、
ｂ…Ｖ字部、
ｃ…Ｌ字部。
【図１】
2004177048.tif 000003
【図２】
2004177048.tif 000004
【図３】
2004177048.tif 000005
【図４】
2004177048.tif 000006
【図５】
2004177048.tif 000007
【図６】
2004177048.tif 000008